(57)【要約】【課題】コンタクトレンズを簡単かつ個人機密を維持して発注および購入できること。【解決手段】コンタクトレンズ購入者であるユーザの個人情報と、眼科医の検眼により処方されたユーザの処方箋情報と、生体情報読み取りユニット３０１にて読み取ったユーザの生体情報と、を販売店端末装置１０３からネットワーク１００を介してサーバ１０１へ登録する。ユーザはコンタクトレンズ購入の際、生体認証ユニット３１５にて生体情報をサーバ１０１に送信し認証をおこなう。認証に成功し、処方箋の有効期限が有効である場合は、サーバ１０１に発注データを送信し、販売管理ＤＢ３１０に登録する。メーカはメーカ端末装置１０５から販売管理ＤＢ３１０に登録された発注データを閲覧、あるいは取得することにより受注、出荷をおこなう。【選択図】      図９
2004287626.tif 000002
【特許請求の範囲】
【請求項１】
コンタクトレンズの購入、販売にかかる情報をネットワークを介して管理するコンタクトレンズ販売管理装置であって、
コンタクトレンズ購入のための検眼をおこなったユーザに関する個人情報および生体情報と、コンタクトレンズに関する処方箋情報および商品情報を受信する受信手段と、
前記受信した個人情報と生体情報を格納するユーザデータベースと、
前記受信した処方箋情報を格納する処方箋データベースと、
前記受信した商品情報を格納する商品データベースと、
前記ユーザがコンタクトレンズを購入する際に受信した購入要求および該ユーザの生体情報のうち、該生体情報を前記ユーザデータベースに格納された生体情報を用いて本人認証をおこなう生体認証手段と、
前記生体認証手段により本人認証された前記ユーザの処方箋情報を前記処方箋データベースから取得し、該処方箋情報が有効期限内であるか否かを判断する期限判断手段と、
前記期限判断手段により有効と判定された場合に、前記ユーザの購入要求に応じた商品情報を用いてコンタクトレンズメーカに対する商品の発注をおこなう発注手段と、
を備えたことを特徴とするコンタクトレンズ販売管理装置。
【請求項２】
前記生体認証手段は、前記生体情報としてユーザの指紋情報を用いることを特徴とする請求項１に記載のコンタクトレンズ販売管理装置。
【請求項３】
コンタクトレンズの購入、販売にかかる情報をネットワークを介して管理するコンタクトレンズ販売管理システムであって、
コンタクトレンズ購入のための検眼をおこなったユーザに関する個人情報および生体情報と、コンタクトレンズに関する処方箋情報および商品情報を送信する販売店または眼科医の端末装置と、
ユーザがコンタクトレンズを購入する際に送信する購入要求および該ユーザの生体情報を送信するユーザの端末装置と、
コンタクトレンズ販売にかかる受注した情報を受信するメーカの端末装置と、
前記販売店の端末装置と、前記眼科医の端末装置と、前記ユーザの端末装置と、前記メーカの端末装置にネットワークを介して接続し、前記個人情報と、前記生体情報と、前記処方箋情報と、前記商品情報を管理するサーバを備え、
前記サーバは、
コンタクトレンズ購入のための検眼をおこなったユーザに関する個人情報および生体情報と、コンタクトレンズに関する処方箋情報および商品情報を受信する受信手段と、
前記受信した個人情報と生体情報を格納するユーザデータベースと、
前記受信した処方箋情報を格納する処方箋データベースと、
前記受信した商品情報を格納する商品データベースと、
前記ユーザがコンタクトレンズを購入する際に受信した購入要求および該ユーザの生体情報のうち、該生体情報を前記ユーザデータベースに格納された生体情報を用いて本人認証をおこなう生体認証手段と、
前記生体認証手段により本人認証された前記ユーザの処方箋情報を前記処方箋データベースから取得し、該処方箋情報が有効期限内であるか否かを判断する期限判断手段と、
前記期限判断手段により有効と判定された場合に、前記ユーザの購入要求に応じた商品情報を用いてコンタクトレンズメーカに対する商品の発注をおこなう発注手段と、
を備えたことを特徴とするコンタクトレンズ販売管理システム。
【請求項４】
前記ユーザの端末装置は、ユーザの指紋情報を読み取り、前記サーバに前記生体情報として送信することを特徴とする請求項３に記載のコンタクトレンズ販売管理システム。
【請求項５】
コンタクトレンズの購入、販売にかかる情報をネットワークを介して管理するコンタクトレンズ販売管理方法であって、
コンタクトレンズ購入のための検眼をおこなったユーザに関する個人情報および生体情報と、コンタクトレンズに関する処方箋情報および商品情報を受信する受信工程と、
前記受信工程により受信した個人情報と生体情報と、処方箋情報と、商品情報とをデータベースに格納する格納工程と、
前記ユーザがコンタクトレンズを購入する際に受信した購入要求および該ユーザの生体情報のうち、該生体情報を前記格納工程で前記データベースに格納した生体情報を用いて本人認証をおこなう生体認証工程と、
前記生体認証工程により本人認証された前記ユーザの処方箋情報を前記データベースから取得し、該処方箋情報が有効期限内であるか否かを判断する期限判断工程と、
前記期限判断工程により有効と判定された場合に、前記ユーザの購入要求に応じた商品情報をデータベースから取得し、コンタクトレンズメーカに対する商品の発注をおこなう発注工程と、
を備えたことを特徴とするコンタクトレンズ販売管理方法。
【請求項６】
前記請求項５に記載された方法をコンピュータに実行させることを特徴とするプログラム。
【発明の詳細な説明】
【０００１】
【発明の属する技術分野】
この発明は、ネットワークを用いてコンタクトレンズの販売をおこなうもので、特に、コンタクトレンズの販売、管理に必要なユーザ情報、認証情報、処方箋情報、商品情報、販売店情報等のデータを効率的に管理、運用できるコンタクトレンズ販売管理装置、コンタクトレンズ販売管理システム、コンタクトレンズ販売管理方法、およびその方法をコンピュータに実行させるプログラムに関する。
【０００２】
【従来の技術】
従来、コンタクトレンズを購入するユーザは、眼科にて検眼をおこない、発行される処方箋を販売店に提出し、購入するようになっている。一方、近年、コンピュータ装置やインターネットの普及にともない、前述したコンタクトレンズの購入、販売にかかる処理をコンピュータ装置を用いて管理し、効率化を図るシステムが提案されている（たとえば、下記特許文献１参照。）。
【０００３】
このシステムは、インターネットを介し、コンタクトレンズ利用者の処方箋情報を眼科医が端末装置からサーバに登録をおこなう。その登録された処方箋情報は、販売店等に設置されている端末装置で参照できるようになっており、ユーザは、都合のよい販売店等にてコンタクトレンズを購入できるようにしたものである。
【０００４】
【特許文献１】
特開２００１−２５６３０４号公報
【０００５】
【発明が解決しようとする課題】
しかしながら、上記従来技術にあっては、コンタクトレンズ購入時には、ユーザが直接、販売店に出向かなくてはならない。特に、使い捨てコンタクトレンズの場合、処方箋の有効期限内で何度も注文する必要があるため、その都度、販売店に出向かねばならず、不便であった。
【０００６】
また、処方箋情報といった個人情報を、個人ＩＤやパスワードといったこれまで一般的におこなわれてきた認証方式で取得できてしまうことは、その漏洩に対して無防備であった。一方、販売店側においても、ユーザごとに発行された処方箋に対応すべく、多くのメーカの多種多様の商品を常に在庫しておかなくてはならず、在庫量を削減することができなかった。
【０００７】
また、コンタクトレンズを製造するメーカと販売店との間には、受発注のシステムが構築されてきているが、現在のシステムは、各メーカごとに異なるシステムであるため、販売店は各メーカ別のシステムを複数、設置しなければならないため、システム導入のために販売店の負担が増大するという問題があった。
【０００８】
このほか、コンタクトレンズのメーカにとっても、販売店に商品を配送することは物流費などの負担が大きい。このように、ユーザ、販売店、メーカの全てにおいて、より効率的な販売、管理がおこなえるシステムの提案が切望されている。
【０００９】
この発明は、上述した従来技術に鑑みてなされたものであって、コンタクトレンズを簡単かつ個人機密を維持して発注および購入できるコンタクトレンズ販売管理装置、コンタクトレンズ販売管理システム、およびその方法をコンピュータに実行させるプログラムを提供することを目的とする。
【００１０】
【課題を解決するための手段】
上述した課題を解決し、目的を達成するため、請求項１の発明にかかるコンタクトレンズ販売管理装置は、コンタクトレンズの購入、販売にかかる情報をネットワークを介して管理するコンタクトレンズ販売管理装置であって、コンタクトレンズ購入のための検眼をおこなったユーザに関する個人情報および生体情報と、コンタクトレンズに関する処方箋情報および商品情報を受信する受信手段と、前記受信した個人情報と生体情報を格納するユーザデータベースと、前記受信した処方箋情報を格納する処方箋データベースと、前記受信した商品情報を格納する商品データベースと、前記ユーザがコンタクトレンズを購入する際に受信した購入要求および該ユーザの生体情報のうち、該生体情報を前記ユーザデータベースに格納された生体情報を用いて本人認証をおこなう生体認証手段と、前記生体認証手段により本人認証された前記ユーザの処方箋情報を前記処方箋データベースから取得し、該処方箋情報が有効期限内であるか否かを判断する期限判断手段と、前記期限判断手段により有効と判定された場合に、前記ユーザの購入要求に応じた商品情報を用いてコンタクトレンズメーカに対する商品の発注をおこなう発注手段とを備えたことを特徴とする。
【００１１】
この請求項１の発明によれば、コンタクトレンズを購入するユーザの個人情報、処方箋情報を予めサーバに登録、参照することにより、ユーザはネットワークに接続できる端末装置があれば販売店に出向かずに、処方箋の有効期限内であれば何度でもコンタクトレンズの発注をおこなうことができる。また、ユーザの生体情報を予め登録し、ユーザに生体情報を利用した認証をさせることで、なりすましなどの不正行為を防ぎ、高い精度のセキュリティーを保つことができるようになる。また、ユーザがコンタクトレンズを購入する際、販売店を通さずに直接メーカに発注することができるため、所望の商品を迅速に受け取ることができるようになる。一方、販売店は、多くのメーカの多種類の商品を在庫しておく必要がなくなるため、仕入れに費やす費用や在庫スペースを削減することができる。また、メーカにとっては商品出荷に費やす物流費用の削減を見込むことができるようになる。
【００１２】
また、請求項２の発明にかかる取引決済情報管理装置は、請求項１に記載の発明において、前記生体認証手段は、前記生体情報としてユーザの指紋情報を用いることを特徴とする。
【００１３】
この請求項２の発明によれば、ユーザがサーバにアクセスし、コンタクトレンズを購入する際におこなう認証を、指紋にておこなうことによってセキュリティーを保つことが可能となる。
【００１４】
また、請求項３の発明にかかる取引決済情報管理システムは、コンタクトレンズの購入、販売にかかる情報をネットワークを介して管理するコンタクトレンズ販売管理システムであって、コンタクトレンズ購入のための検眼をおこなったユーザに関する個人情報および生体情報と、コンタクトレンズに関する処方箋情報および商品情報を送信する販売店または眼科医の端末装置と、ユーザがコンタクトレンズを購入する際に送信する購入要求および該ユーザの生体情報を送信するユーザの端末装置と、コンタクトレンズ販売にかかる受注した情報を受信するメーカの端末装置と、前記販売店の端末装置と、前記眼科医の端末装置と、前記ユーザの端末装置と、前記メーカの端末装置にネットワークを介して接続し、前記個人情報と、前記生体情報と、前記処方箋情報と、前記商品情報を管理するサーバを備え、前記サーバは、コンタクトレンズ購入のための検眼をおこなったユーザに関する個人情報および生体情報と、コンタクトレンズに関する処方箋情報および商品情報を受信する受信手段と、前記受信した個人情報と生体情報を格納するユーザデータベースと、前記受信した処方箋情報を格納する処方箋データベースと、前記受信した商品情報を格納する商品データベースと、前記ユーザがコンタクトレンズを購入する際に受信した購入要求および該ユーザの生体情報のうち、該生体情報を前記ユーザデータベースに格納された生体情報を用いて本人認証をおこなう生体認証手段と、前記生体認証手段により本人認証された前記ユーザの処方箋情報を前記処方箋データベースから取得し、該処方箋情報が有効期限内であるか否かを判断する期限判断手段と、前記期限判断手段により有効と判定された場合に、前記ユーザの購入要求に応じた商品情報を用いてコンタクトレンズメーカに対する商品の発注をおこなう発注手段とを備えたことを特徴とする。
【００１５】
この請求項３の発明によれば、コンタクトレンズを購入するユーザの個人情報、処方箋情報を予めサーバに登録、参照することにより、ユーザはネットワークに接続できる端末装置があれば販売店に出向かずに、処方箋の有効期限内であれば何度でもコンタクトレンズの発注をおこなうことができる。また、ユーザの生体情報を予め登録し、ユーザに生体情報を利用した認証をさせることで、なりすましなどの不正行為を防ぎ、高い精度のセキュリティーを保つことができるようになる。また、ユーザがコンタクトレンズを購入する際、販売店を通さずに直接メーカに発注することができるため、所望の商品を迅速に受け取ることができるようになる。一方、販売店は、多くのメーカの多種類の商品を在庫しておく必要がなくなるため、仕入れに費やす費用や在庫スペースを削減することができる。また、メーカにとっては商品出荷に費やす物流費用の削減を見込むことができるようになる。さらに、サーバ内に、コンタクトレンズの購入、販売に関わるユーザ、販売店、メーカの情報が一元的に管理されるようになる。
【００１６】
また、請求項４の発明にかかる取引決済情報管理システムは、請求項３に記載の発明において、前記ユーザの端末装置は、ユーザの指紋情報を読み取り、前記サーバに前記生体情報として送信することを特徴とする。
【００１７】
この請求項４の発明によれば、ユーザがサーバにアクセスし、コンタクトレンズを購入する際におこなう認証を、指紋にておこなうことによってセキュリティーを保つことが可能となる。
【００１８】
また、請求項５の発明にかかる取引決済情報管理方法は、コンタクトレンズの購入、販売にかかる情報をネットワークを介して管理するコンタクトレンズ販売管理方法であって、コンタクトレンズ購入のための検眼をおこなったユーザに関する個人情報および生体情報と、コンタクトレンズに関する処方箋情報および商品情報を受信する受信工程と、前記受信工程により受信した個人情報と生体情報と、処方箋情報と、商品情報とをデータベースに格納する格納工程と、前記ユーザがコンタクトレンズを購入する際に受信した購入要求および該ユーザの生体情報のうち、該生体情報を前記格納工程で前記データベースに格納した生体情報を用いて本人認証をおこなう生体認証工程と、前記生体認証工程により本人認証された前記ユーザの処方箋情報を前記データベースから取得し、該処方箋情報が有効期限内であるか否かを判断する期限判断工程と、前記期限判断工程により有効と判定された場合に、前記ユーザの購入要求に応じた商品情報をデータベースから取得し、コンタクトレンズメーカに対する商品の発注をおこなう発注工程と、を含むことを特徴とする。
【００１９】
この請求項５の発明によれば、コンタクトレンズを購入するユーザの個人情報、処方箋情報を予めサーバに登録、参照することにより、ユーザはネットワークに接続できる端末装置があれば販売店に出向かずに、処方箋の有効期限内であれば何度でもコンタクトレンズの発注をおこなうことができる。また、ユーザの生体情報を予め登録し、ユーザに生体情報を利用した認証をさせることで、なりすましなどの不正行為を防ぎ、高い精度のセキュリティーを保つことができるようになる。また、ユーザがコンタクトレンズを購入する際、販売店を通さずに直接メーカに発注することができるため、所望の商品を迅速に受け取ることができるようになる。一方、販売店は、多くのメーカの多種類の商品を在庫しておく必要がなくなるため、仕入れに費やす費用や在庫スペースを削減することができる。また、メーカにとっては商品出荷に費やす物流費用の削減を見込むことができるようになる。
【００２０】
また、請求項６の発明にかかるプログラムは、前記請求項５に記載された方法をコンピュータに実行させることを特徴とする。
【００２１】
この請求項６の発明によれば、前記請求項５に記載された方法をコンピュータに実行させることができ、コンピュータを用いたコンタクトレンズの購入、販売にかかる発注から受注までの処理を実行できるようになり、購入、販売の効率化を図ることができるようになる。
【００２２】
【発明の実施の形態】
以下に添付図面を参照して、この発明にかかるコンタクトレンズ販売管理装置、コンタクトレンズ販売管理システム、およびその方法をコンピュータに実行させるプログラムの好適な実施の形態を詳細に説明する。
【００２３】
（実施の形態１）
（コンタクトレンズ販売管理システムの構成）
まず、この発明の本実施の形態にかかるコンタクトレンズ販売管理装置を含むコンタクトレンズ販売管理システムのシステム構成について説明する。図１は、この発明の本実施の形態１にかかるコンタクトレンズ販売管理システムの全体構成を示すシステム構成図である。
【００２４】
図１において、コンタクトレンズ販売管理システムは、サーバ１０１に対してコンタクトレンズの処方箋やユーザの個人情報の登録をおこなう眼科医端末装置１０２と、販売店端末装置１０３が、それぞれインターネットなどのネットワーク１００を介して接続されている。このユーザの個人情報としては、後述する生体情報が含まれる。また、コンタクトレンズの発注をおこなうユーザが使用するユーザ端末装置１０４、および、その注文を受けるコンタクトレンズメーカのメーカ端末装置１０５がネットワーク１００を介して接続されている。メーカ端末装置１０５は、ユーザからの発注データの閲覧をおこなうようなクライアント型であっても、発注データを取得して蓄積するサーバ型であってもよい。
【００２５】
本実施の形態１にかかるサーバ１０１は、たとえば、各種パーソナルコンピュータやワークステーションなどであり、コンタクトレンズの販売店やメーカ以外の特定サービス事業者により管理、運営されているものとする。サーバ１０１を中心として、端末装置１０２〜１０５との間でおこなうネットワーク１００を介した通信においては、必要に応じてＳＳＬ方式等を利用したセキュリティー機能や、暗号化技術等を用い、秘密保持を確保する。
【００２６】
また、眼科医が所有する眼科医端末装置１０２、販売店が所有する販売店端末装置１０３、ユーザが所有するユーザ端末装置１０４、メーカが所有するメーカ端末装置１０５は、デスクトップ型パーソナルコンピュータ、ノート型パーソナルコンピュータであってもよく、通信機能を備えたＰＤＡ（Ｐｅｒｓｏｎａｌ  Ｄｉｇｉｔａｌ  Ａｓｓｉｓｔａｎｔ（Ｒ））であってもよく、また、ネットワーク１００に接続する機能（たとえば、ＮＴＴドコモ製ｉモード（Ｒ）機能、日本移動通信株式会社製ＥＺ  ａｃｃｅｓｓなど）を備えた、携帯電話であってもよい。特に、メーカ端末装置１０５においては、たとえば、各種パーソナルコンピュータやワークステーションなどであってもよい。
【００２７】
（サーバ１０１と、各種端末装置のハードウェア構成）
つぎに、この発明の本実施の形態１にかかるコンタクトレンズ販売管理システムを構成するサーバ１０１と、および各種端末装置のハードウェア構成について説明する。図２は、この発明の本実施の形態１にかかるサーバ１０１と、各種端末装置のハードウェア構成を示すブロック図である。
【００２８】
図２において、サーバ１０１は、ＣＰＵ２０１と、ＲＯＭ２０２と、ＲＡＭ２０３と、ＨＤＤ（ハードディスクドライブ）２０４と、ＨＤ（ハードディスク）２０５と、ＦＤＤ（フレキシブルディスクドライブ）２０６と、着脱可能な記録媒体の一例としてのＦＤ（フレキシブルディスク）２０７と、ディスプレイ２０８と、ＫＢ（キーボード）２０９と、マウス２１０と、ネットワークＩ／Ｆ（インタフェース）２１１と、プリンタ２１２と、を備えている。また、各構成部はバス２１３によってそれぞれ接続されている。
【００２９】
ここで、ＣＰＵ２０１は、サーバ１０１全体の制御を司る。ＲＯＭ２０２は、ブートプログラムなどのプログラムを記憶している。ＲＡＭ２０３は、ＣＰＵ２０１のワークエリアとして使用される。ＨＤＤ２０４は、ＣＰＵ２０１の制御にしたがってＨＤ２０５に対するデータのリード／ライトを制御する。ＨＤ２０５は、ＨＤＤ２０４の制御で書き込まれたデータを記憶する。
【００３０】
ＦＤＤ２０６は、ＣＰＵ２０１の制御にしたがってＦＤ２０７に対するデータのリード／ライトを制御する。ＦＤ２０７は、ＦＤＤ２０６の制御で書き込まれたデータを記憶する。着脱可能な記録媒体として、ＦＤ２０７の他、ＣＤ−ＲＯＭ（ＣＤ−ＲＷ）、ＭＯ、ＤＶＤ（Ｄｉｇｉｔａｌ  Ｖｅｒｓａｔｉｌｅ  Ｄｉｓｋ）などであってもよい。ディスプレイ２０８は、カーソル、アイコン、あるいはツールボックスをはじめ、文書、画像、機能情報などのデータに関するウインドウ（ブラウザ）を表示する。たとえば、ＣＲＴ、ＴＦＴ液晶ディスプレイ、プラズマディスプレイなどである。
【００３１】
ＫＢ２０９は、文字、数値、各種指示などの入力のためのキーを備え、データ入力をおこなう。マウス２１０は、カーソルの移動や範囲選択、あるいはウインドウの移動やサイズの変更などをおこなう。ポインティングデバイスとして同様の機能を備えるものであれば、トラックボール、ジョイスティックなどであってもよい。
【００３２】
ネットワークＩ／Ｆ２１１は、ネットワーク１００を介して、眼科医端末装置１０２、販売店端末装置１０３、ユーザ端末装置１０４、メーカ端末装置１０５に接続される。そして、ネットワークＩ／Ｆ２１１は、ネットワーク１００と内部とのインタフェースを司り、サーバ１０１からのデータの入出力を制御する。また、プリンタ２１２は、文書データを印刷する。たとえば、レーザプリンタなどである。
【００３３】
後述する送受信部３０２，３１１，３１４（図３参照）は、たとえば、図２に示したネットワークＩ／Ｆ２１１によって、あるいは、ＲＯＭ２０２、ＲＡＭ２０３またはＨＤ２０５、ＦＤ２０７などの記録媒体に記録されたプログラムに記載された命令にしたがってＣＰＵ２０１が処理を実行することによって、各部の機能を実現する。
【００３４】
また、図３に示している以下ユーザＤＢ認証部３１２、ユーザＤＢ制御部３０３、処方箋ＤＢ判断部３１３、処方箋ＤＢ制御部３０５、商品ＤＢ制御部３０７、販売管理ＤＢ制御部３０９について、ＲＯＭ２０２，ＲＡＭ２０３またはＨＤ２０５，ＦＤ２０７などの記録媒体に記録されたプログラムに記載された命令にしたがってＣＰＵ２０１が命令処理を実行することによって、各部の機能を実現する。
【００３５】
また、眼科医端末装置１０２、販売店端末装置１０３、ユーザ端末装置１０４、メーカ端末装置１０５は、ＣＰＵ２２１と、ＲＯＭ２２２と、ＲＡＭ２２３と、ＨＤＤ（ハードディスクドライブ）２２４と、ＨＤ（ハードディスク）２２５と、ＦＤＤ（フレキシブルディスクドライブ）２２６と、着脱可能な記録媒体の一例としてのＦＤ（フレキシブルディスク）２２７と、ディスプレイ２２８と、ＫＢ（キーボード）２２９と、マウス２３０と、ネットワークＩ／Ｆ（インタフェース）２３１と、プリンタ２３２と、を備えている。また、各構成部はバス２３３によってそれぞれ接続されている。
【００３６】
（コンタクトレンズ販売管理システムの機能的構成）
つぎに、この発明の本実施の形態１にかかるコンタクトレンズ販売管理システムの機能的構成について説明する。図３は、この発明の本実施の形態１にかかるコンタクトレンズ販売管理システムの機能的構成を示すブロック図である。
【００３７】
（販売店端末装置１０３の機能的構成）
販売店は、コンタクトレンズの販売をおこなう店舗であり、販売にあたっての処方箋を出す眼科医が居るものとする。この販売店は、サーバ１０１が提供するサービスを販売店端末装置１０３を通じて利用し、コンタクトレンズの購入に訪れたユーザの個人情報と、処方箋情報と、生体情報読み取りユニット３０１にて読み取ったユーザの生体情報をサーバ１０１に登録する。この販売店端末装置１０３には、サーバ１０１とデータ送受するためのブラウザ、または専用のアプリケーション（ソフトウェア）が設けられる。これによりネットワーク１００を介しサーバ１０１のサーバプログラムと所定の通信プロトコルに基づき、ファイルやテキストベースのデータの送受信をおこなう。
【００３８】
そして、販売店は、ブラウザ、あるいは専用のアプリケーション（ソフトウェア）の機能を利用し、販売店端末装置１０３からサーバ１０１に備えられた各種データベースに対して各種情報の登録、修正をおこなう。具体的には、ユーザデータベース（ＤＢ）３０４にはユーザの個人情報や、生体情報（たとえば、指紋、虹彩、網膜、顔貌、声紋、筆跡など）、処方箋データベース（ＤＢ）３０６には処方箋情報、商品データベース（ＤＢ）３０８にはコンタクトレンズの商品情報、販売管理データベース（ＤＢ）３１０には販売店自身の情報や、発注データ、などの各種情報の登録、修正をサーバ１０１に対しておこなう。
【００３９】
（ユーザ端末装置１０４の機能的構成）
図３において、ユーザは、コンタクトレンズの購入者である。ユーザは、サーバ１０１に登録してある生体情報や処方箋情報を利用して提供されるコンタクトレンズの発注サービスをユーザ端末装置１０４を用いて利用する。このユーザ端末装置１０４についても、販売店端末装置１０３と同様、ブラウザまたは専用のアプリケーション（ソフトウェア）を使用する。
【００４０】
ユーザは、ユーザ端末装置１０４に接続した生体認証ユニット３１５により読み取ったユーザ自身の生体情報を、サーバ１０１に対してブラウザまたは専用のアプリケーション（ソフトウェア）を使用して送信する。この送信した生体情報と、予めユーザＤＢ３０４に登録してあるユーザ本人の生体情報と、をユーザＤＢ認証部３１２で比較し、認証をおこなう。この本人認証に成功し、処方箋ＤＢ３０６に登録された処方箋の有効期限を処方箋ＤＢ判断部３１３が取得し、判断することで、ユーザはコンタクトレンズの発注をおこなうことができる画面へ移行する。生体情報を利用した認証としては、指紋の形や特徴点にて判別をおこなう指紋認証や、目の虹彩（アイリス）の紋様で判別をおこなう虹彩認証や、顔の輪郭、目・鼻の位置で判別をおこなう顔貌認証や、音声波形、発声速度などで判別をおこなう声紋認証などがある。虹彩や顔貌認証の場合は特別な読み取りユニットを必要とするが、声紋認証はパーソナルコンピュータに設置するマイクなどを使い、比較的簡単に使用できる。
【００４１】
（メーカ端末装置１０５の機能的構成）
図３において、メーカは、コンタクトレンズの発注を受けるコンタクトレンズメーカである。メーカは、サーバ１０１の販売管理ＤＢ３１０に登録されたユーザからのコンタクトレンズの発注情報を、メーカ端末装置１０５を用いて取得あるいは閲覧する。このとき、ブラウザまたは専用のアプリケーション（ソフトウェア）を使用する。メーカは、ここで受信した（あるいは、確認した）ユーザからの発注情報によりコンタクトレンズの直送をおこなう。
【００４２】
なお、図３においてメーカが使用するメーカ端末装置１０５は、サーバ１０１のサービスを通じて販売管理ＤＢ３１０の情報を閲覧するクライアント型の端末装置としての例を示している。しかし、販売管理ＤＢ３１０から情報を取得し（あるいは、バッチ処理にて配信を受け）て情報を蓄積するサーバ型の装置としてもよい。
【００４３】
（サーバ１０１の機能的構成）
図３において、サーバ１０１は、ネットワーク１００を介して販売店端末装置１０３と、ユーザ端末装置１０４と、メーカ端末装置１０５に接続される。このサーバ１０１は、ユーザＤＢ３０４と、処方箋ＤＢ３０６と、商品ＤＢ３０８と、販売管理ＤＢ３１０と、送受信部３０２，３１１，３１４と、ユーザＤＢ認証部３１２と、ユーザＤＢ制御部３０３と、処方箋ＤＢ判断部３１３と、処方箋ＤＢ制御部３０５と、商品ＤＢ制御部３０７と、販売管理ＤＢ制御部３０９とを含む構成となっている。
【００４４】
ユーザＤＢ３０４は、コンタクトレンズ購入者であるユーザの生体情報や個人情報を登録するデータベースであり、ユーザがサーバ１０１にアクセスする際の認証に利用する。処方箋ＤＢ３０６は、販売店や眼科医が、コンタクトレンズ購入者であるユーザの検眼結果である処方箋情報を登録するデータベースであり、ユーザがサーバ１０１にアクセスした際、ユーザの処方箋情報の有効期限を判定するときに利用する。商品ＤＢ３０８は、販売店がその商品となるコンタクトレンズの情報を登録しておくデータベースであり、ユーザが購入する際の商品情報の表示などに利用する。販売管理ＤＢ３１０は、このシステムを利用する会員販売店の情報や、ユーザがコンタクトレンズの購入を決定した際の発注情報が登録される。この発注情報が登録される際、販売履歴としてログファイルを残し、販売店が閲覧またはデータのダウンロードをおこなってもよい。
【００４５】
送受信部３０２，３１１，３１４は、各々販売店端末装置１０３、ユーザ端末装置１０４、メーカ端末装置１０５との接続手段である。送受信部３０２は、販売店端末装置１０３とサーバ１０１との間でデータの登録要求や送信要求などのやりとりが発生した際にデータの送受信をおこなう。主に販売店からのユーザの個人情報や処方箋情報の登録に使用される。送受信部３１１は、ユーザ端末装置１０４とサーバ１０１との間でデータの登録要求や送信要求などのやりとりが発生した際にデータの送受信をおこなう。主にユーザからの認証情報や発注データの受信をおこなう。送受信部３１４は、メーカ端末装置１０５とサーバ１０１との間でデータの送信要求などのやりとりが発生した際にデータの送受信をおこなう。主にメーカから発注情報の閲覧要求を受けた際に発注情報の送信をおこなうものである。
【００４６】
ユーザＤＢ制御部３０３は、販売店端末装置１０３から受信した個人情報や生体情報などのデータをユーザＤＢ３０４へ登録する制御をおこなう。また、ユーザＤＢ３０４に登録された個人情報や生体情報の取り出し、削除の制御などをおこなう。このほか、ユーザＤＢ認証部３１２からのデータ送信要求に基づく制御をおこなう。
【００４７】
処方箋ＤＢ制御部３０５は、販売店端末装置１０３から受信した処方箋情報を処方箋ＤＢ３０６へ登録する制御をおこなう。また、処方箋ＤＢ３０６に登録された処方箋情報の取り出し、削除などの制御をおこなう。このほか、処方箋ＤＢ判断部３１３からのデータ送信要求に基づく制御をおこなう。
【００４８】
商品ＤＢ制御部３０７は、販売店端末装置１０３から受信した商品情報を商品ＤＢ３０８へ登録する制御をおこなう。また、商品ＤＢ３０８に登録された商品情報の取り出し、削除などの制御をおこなう。また、販売管理ＤＢ制御部３０９は、販売店端末装置１０３から受信した販売店情報の登録や、あるいはメーカ端末装置１０５から受信した商品情報の送信要求の制御をおこなう。
【００４９】
（眼科医端末装置１０２の機能的構成）
なお、図３において図に示していないが、眼科医は、サーバ１０１が提供するサービスを眼科医端末装置１０２を通じて利用する。コンタクトレンズの販売店などから依頼を受け、検査をおこなったユーザの処方箋情報を個人情報（生体情報）とともにサーバ１０１に登録をおこなうこともできる。この眼科医端末装置１０３には、サーバ１０１とデータ送受するためのブラウザ、または専用のアプリケーション（ソフトウェア）が設けられる。これによりネットワーク１００を介し、サーバ１０１のサーバプログラムと所定の通信プロトコル（たとえば、ＴＣＰや、ＨＴＴＰなど）に基いて、ファイルやテキストベースのデータの送受信をおこなう。
【００５０】
図４は、この発明の本実施の形態１にかかるユーザ端末装置１０４の一例を示す図である。図４に示すユーザ端末装置１０４は、携帯型の電話機であり、画面部４００、キー操作部４０１、テンキー４０１ａ、第１制御キー４０１ｂ、ナビゲーションキー４０１ｃ、第２制御キー４０１ｄ、生体認証部４０２を備えている。また、この装置は、インターネットに接続するためのブラウザを備えており、ナビゲーションキー４０１ｃを押下することで容易に利用することができる。これにより、ネットワーク１００に対してアクセスをおこない、ユーザ端末装置１０４としての機能を実行させる。そして、ユーザ端末装置１０４のキー操作部４０１の手元端部に、感熱式の指紋読み取り用の認証センサである生体認証部４０２が設けられている。この生体認証部４０２にて指紋読み取りをおこなう際は、手指の第１関節の腹部側を矢印の方向にこするようにスライドさせて指紋を読み取る。この読み取った生体情報である指紋をサーバ１０１に送信する。
【００５１】
図５は、この発明の本実施の形態１にかかる処方箋データ入力画面５００の表示内容の一例を示す説明図である。図５において、眼科医端末装置１０２、あるいは販売店端末装置１０３に表示される処方箋データ入力画面５００は、ユーザの個人情報および処方箋情報の登録、変更を、眼科医あるいは販売店がおこなう画面である。
【００５２】
図のように、個人情報は、エリア５０２，５０３に示す、氏名および氏名フリガナ、生年月日、性別、郵便番号、住所、電話番号、Ｅ−Ｍａｉｌ、携帯電話番号、携帯メールアドレス、の各入力オブジェクトに記入をおこなう。性別については、男性、女性のラジオボタンから一つをマウスクリックにて選択する。また、処方箋情報は、エリア５０４内に、コンタクトレンズのメーカ、レンズの商品名、ＢＣ（レンズのベースカーブ）、Ｐ（レンズの度数）、ＣＹＬ（レンズの乱視度数）、ＡＸＩＳ（レンズの乱視軸）、ＡＤＤ（遠近両用の手元補正値）、レンズ径（レンズの直径）、個数、を左右別々に記入する入力フィールドが各々設けられている。処方区分については、新規、処方変更、破損交換のラジオボタンから一つをマウスクリックにて選択する。上記の記入および選択が終了したら個人情報、処方箋情報ともに右下に設けられた登録ボタンを各々押下することにより、個人情報はユーザＤＢ３０４へ、処方箋情報は処方箋ＤＢ３０６へと登録される。
【００５３】
なお、過去に登録されたユーザの個人情報および処方箋情報を検索する場合は、エリア５０１内にあるカルテ番号フィールドにカルテ番号を入力し、検索ボタンを押下することで各フィールドに表示される。また、エリア５０３内にある郵便番号フィールドに郵便番号を入力し、右にある検索ボタンを押下することで、その郵便番号に該当する都道府県および市区町村までの住所情報を検索し、表示させることもできる。そして、エリア５０４の下部にあるＢＣ、Ｐ、ＣＹＬ、ＡＸＩＳ、ＡＤＤ、レンズ径、個数の各フィールドは右に設けられた解除ボタン（Ｒ、またはＬ）を押下することにより、フィールドに記入してある数値を一度に削除することができる。
【００５４】
図６は、この発明の本実施の形態１にかかる認証成功画面６００の表示内容の一例を示す説明図である。図６において、ユーザ端末装置１０４に表示される認証成功画面６００は、ユーザが生体情報を利用した認証に成功し、さらに処方箋ＤＢ３０６に登録された処方箋データの有効期限が有効であると判定されたときに表示される画面である。
【００５５】
図のように、ウインドウ６０１上部には、認証に成功したユーザの処方箋の有効期限が表示される。メーカ６０２欄には、眼科医により処方されたコンタクトレンズのメーカ名が表示される。商品名６０３ａ欄には、コンタクトレンズの商品名がポップアップ式のマウスクリックで選択可能なオブジェクト６０３ｂにより表示される。パラメータ６０４ａ欄には、ユーザの処方されたコンタクトレンズの処方箋情報が右６０４ｂ欄と、左６０４ｃ欄とに分けて各々表示される。購入個数６０５ａ欄には、右６０５ｂフィールドと、左６０５ｃフィールドごとに所望の購入個数をＫＢ２２９を用いて入力する。価格６０６ａ欄に設けられている入力フィールド６０６ｂには、ＫＢ２２９を用いてユーザが入力する。あるいはＪａｖａＳｃｒｉｐｔ（Ｒ）などのスクリプト機能によって購入個数６０５ａ欄が記入された時点で自動的に計算、表示されるようにしてもよい。上述した入力欄を埋め、下部のＯＫボタン６０７を押下することで、商品注文画面（図示せず）へと移行する。
【００５６】
図７は、この発明の本実施の形態１にかかる警告画面７００の表示内容の一例を示す説明図である。図７において、ユーザ端末装置１０４に表示される警告画面７００は、ユーザがコンタクトレンズを購入するためにサーバ１０１にアクセスし、生体情報を利用した認証には成功したが、処方箋ＤＢ３０６に登録された処方箋データの有効期限が無効であると判定された場合に表示される警告画面である。ウインドウ７０１に示されたように、眼科医に行き、新たに処方箋データを登録するよう促す旨が表示される。「個人認証画面に戻る」リンク７０２をマウスクリックすると、再び個人認証をおこなう当該サービスの初期画面（図示せず）へと戻る。
【００５７】
（販売店にてユーザの登録がおこなわれる場合の処理手順）
つぎに、販売店にてユーザの登録がおこなわれる場合の処理手順について説明する。図８は、この発明の本実施の形態１にかかる販売店にてユーザの登録がおこなわれる場合の処理手順を示すフローチャートである。ユーザが当該サービスを利用する場合、まず、販売店端末装置１０３からユーザ情報（個人情報、処方箋情報、生体情報）の登録、または、変更をおこなっておく必要がある。これらをおこなう場合、サーバ１０１は、まず、販売店端末装置１０３からの要求が、ユーザ情報の新規登録であるか否かを判断する（ステップＳ８０１）。
【００５８】
販売店端末装置１０３からの要求が、ユーザ情報の新規登録でない場合は（ステップＳ８０１：Ｎｏ）、まず、個人情報の更新（修正）要求があるか否かの判断をおこなう（ステップＳ８０２）。更新要求が無い場合は（ステップＳ８０２：Ｎｏ）、ステップＳ８０４へと継続する。更新要求がある場合は（ステップＳ８０２：Ｙｅｓ）、ユーザＤＢ３０４の個人情報の更新登録をおこなう（ステップＳ８０３）。
【００５９】
つぎに、処方箋情報の更新要求があるか否かの判断をおこなう（ステップＳ８０４）。更新要求が無い場合は（ステップＳ８０４：Ｎｏ）、ステップＳ８０６へと継続する。更新要求がある場合は（ステップＳ８０４：Ｙｅｓ）、処方箋ＤＢ３０６の処方箋情報の更新登録をおこなう（ステップＳ８０５）。
【００６０】
さらに、生体情報の更新要求があるか否かの判断をおこなう（ステップＳ８０６）。更新要求が無い場合は（ステップＳ８０６：Ｎｏ）、そのまま処理を終える。更新要求がある場合は（ステップＳ８０６：Ｙｅｓ）、ユーザＤＢ３０４の生体情報の更新登録をおこなう（ステップＳ８０７）。以上により、必要に応じたユーザ情報の更新処理をおこなうことができる。
【００６１】
一方、ユーザ情報の新規登録である場合は（ステップＳ８０１：Ｙｅｓ）、個人情報の登録要求があるか否かの判断をおこなう（ステップＳ８０８）。登録要求が無い場合は（ステップＳ８０８：Ｎｏ）、そのまま処理を終える。登録要求がある場合は（ステップＳ８０８：Ｙｅｓ）、ユーザＤＢ３０４に個人情報の登録をおこなう（ステップＳ８０９）。
【００６２】
ステップＳ８０９にて個人情報の登録をおこなった後、処方箋情報の登録要求があるか否かの判断をおこなう（ステップＳ８１０）。登録要求が無い場合は（ステップＳ８１０：Ｎｏ）、処理を終える。登録要求がある場合は（ステップＳ８１０：Ｙｅｓ）、処方箋ＤＢ３０６に処方箋情報の登録をおこなう（ステップＳ８１１）。
【００６３】
ステップＳ８１１にて処方箋情報の登録をおこなった後、生体情報の登録要求があるか否かの判断をおこなう（ステップＳ８１２）。登録要求が無い場合は（ステップＳ８１２：Ｎｏ）、処理を終える。登録要求がある場合は（ステップＳ８１２：Ｙｅｓ）、ユーザＤＢ３０４に生体情報の登録をおこなう（ステップＳ８１３）。以上により、ユーザ情報の新規登録処理をおこなうことができる。なお、上述した個人情報、処方箋情報の新規、あるいは更新登録処理は、図５に示した処方箋データ入力画面５００を利用しておこなう。また生体情報の登録は、生体情報読み取りユニット３０１にておこなうものとする。
【００６４】
（サーバ１０１による個人認証の処理手順）
つぎに、サーバ１０１による個人認証の処理手順について説明する。図９は、この発明の本実施の形態１にかかるサーバ１０１による個人認証の処理手順を示すフローチャートである。まず、ユーザがコンタクトレンズを購入しようとした場合、ユーザ端末装置１０４から生体認証ユニット３１５などを利用して生体情報（たとえば、指紋など）を読み取り、これを利用してサーバ１０１に対して認証をおこなう。このときサーバ１０１は生体情報を受信したか否かの判断をおこなう（ステップＳ９０１）。受信していない場合は（ステップＳ９０１：Ｎｏ）、ステップＳ９０１の判断を継続する。
【００６５】
生体情報を受信した場合は（ステップＳ９０１：Ｙｅｓ）、認証がＯＫ（成功）か否かを判断する（ステップＳ９０２）。認証がＯＫでない場合は（ステップＳ９０２：Ｎｏ）、その旨が表示されるエラー画面（図示せず）をユーザ端末装置１０４に送信し（ステップＳ９０３）処理を終える。認証がＯＫの場合は（ステップＳ９０２：Ｙｅｓ）、処方箋情報が処方箋ＤＢ３０６に登録されているか否かを判断する（ステップＳ９０４）。処方箋情報が登録されていない場合は（ステップＳ９０４：Ｎｏ）、その旨が表示されるエラー画面（図示せず）を送信し（ステップＳ９０３）処理を終える。
【００６６】
処方箋情報が処方箋ＤＢ３０６に登録されている場合は（ステップＳ９０４：Ｙｅｓ）、登録されている処方箋が有効期限内か否かの判断をおこなう（ステップＳ９０５）。処方箋が有効期限内でない場合は（ステップＳ９０５：Ｎｏ）、その旨が表示されるエラー画面（図７の警告画面７００参照）を送信し（ステップＳ９０３）処理を終える。処方箋が有効期限内である場合は（ステップＳ９０５：Ｙｅｓ）、認証成功画面６００を送信し（ステップＳ９０６）処理を終える。
【００６７】
（ユーザによりコンタクトレンズの注文がおこなわれる場合の処理手順）
つぎに、ユーザによりコンタクトレンズの注文がおこなわれる場合の処理手順について説明する。図１０は、この発明の本実施の形態１にかかるユーザによりコンタクトレンズの注文がおこなわれる場合の処理手順を示すフローチャートである。ユーザが認証に成功し、図９のステップＳ９０６にて認証成功画面６００が送信される。これに続く注文画面（図示せず）にて、購入に際して必要となる商品の届け先などの情報をサーバ１０１に送信する。
【００６８】
このときサーバ１０１は送られた入力項目に不足が無いかの判断をおこなう（ステップＳ１００１）。不足がある場合は（ステップＳ１００１：Ｎｏ）、エラー画面（図示せず）をユーザ端末装置１０４に対して送信し（ステップＳ１００２）処理を終える。不足が無い場合は（ステップＳ１００１：Ｙｅｓ）、その送信された注文内容に問題（たとえば、購入個数が処方箋で許可されたものより多く入力されているなど）が無いかを判断する（ステップＳ１００３）。注文内容に問題がある場合（ステップＳ１００３：Ｎｏ）は、エラー画面（図示せず）をユーザ端末装置１０４に対して送信し（ステップＳ１００２）処理を終える。注文内容に問題が無い場合は（ステップＳ１００３：Ｙｅｓ）、送信された注文を販売管理ＤＢ３１０に登録をおこなう（ステップＳ１００４）。つぎに、購入完了画面（図示せず）をユーザ端末装置１０４に対して送信し（ステップＳ１００５）、処理を終える。
【００６９】
なお、以上説明した実施の形態１では、販売店端末装置１０３、ユーザ端末装置１０４、メーカ端末装置１０５を各々１台として説明したが、販売店、ユーザ、メーカ全てにおいて複数の端末装置で当該システムを使用できるものとする。
【００７０】
以上説明したように、実施の形態１によれば、販売店あるいは眼科医がコンタクトレンズを所望するユーザの個人情報、生体情報、処方箋情報を予めサーバ１０１に登録しておく。これにより、ユーザはサーバ１０１にアクセスすることが可能な手段をもつと同時に生体情報を送信する手段をもつことで、所望するコンタクトレンズをいついかなるときにでも発注することが可能となる。
【００７１】
また、ユーザの識別に生体情報を利用することで、なりすましなどによる不正購入を防止し、サーバ１０１に対しても高度のセキュリティーを保ち、個人機密を維持することが可能となる。さらに、ユーザが生体情報を利用した認証に成功した後、処方箋ＤＢ３０６に保持された処方箋の有効期限のチェックを受けることで、購入時に眼科医から処方された規則が厳密に守られる。
【００７２】
また、ユーザがコンタクトレンズメーカに対して直接発注をおこなうことになるため、メーカから見た販売の形態は直接販売となる。直接販売の場合、送料はユーザの負担となるためメーカにとっては物流費用の削減につながる。また、インターネットを利用した販売形態であるため、通常の営業をおこなっての販売形態に対し人件費の削減を見込むことが可能となる。
【００７３】
一方、販売店にとっては仕入れの量を減らすことができるため、余剰在庫の増加を防止することができる。このことは、コスト、在庫スペースともに負担を減少させることにつながる。また、当該サービスは、登録することにより利用可能なシステムであるため、メーカ、あるいは販売店自身で同様のシステム開発などをおこなう必要が無い。そのことにより初期投資費用を抑えることが可能となる。
【００７４】
（実施の形態２）
つぎに、この発明の本実施の形態２にかかるユーザがコンタクトレンズメーカを自由に選択できる場合の購入方法について説明する。ユーザがコンタクトレンズの注文をおこなうためにサーバ１０１にアクセスし、生体情報を利用した認証に成功すると、注文画面から発注をおこなうことができる。このとき実施の形態１においては、図６のメーカ６０２欄で示したように、処方箋ＤＢ３０６に登録された処方箋情報に書かれたメーカ名が表示される。このメーカ６０２欄をユーザによって入力することが可能な空白の入力フィールド（図示せず）として表示する。あるいは、全てのコンタクトレンズメーカをラジオボタン（図示せず）で表示する。この場合、商品名６０３ａ欄も空白の入力フィールド、あるいはラジオボタンなどにより、ユーザが自由に記入、あるいは選択できるようなオブジェクトとして表示させる必要がある。
【００７５】
以上説明したように、実施の形態２によれば、実施の形態１に変えて、図６の認証成功画面６００内のメーカ６０２欄をユーザが自由に記入できる入力フィールド、あるいはラジオボタンにて表示することで、コンタクトレンズ注文時に、ユーザがメーカを自由に入力、あるいは選択することが可能となる。
【００７６】
なお、本実施の形態で説明したコンタクトレンズ販売管理方法は、予め用意されたプログラムをパーソナルコンピュータやワークステーション等のコンピュータで実行することにより実現することができる。このプログラムは、ハードディスク、フレキシブルディスク、ＣＤ−ＲＯＭ、ＭＯ、ＤＶＤ等のコンピュータで読み取り可能な記録媒体に記録され、コンピュータによって記録媒体から読み出されることによって実行される。またこのプログラムは、インターネット等のネットワークを介して配布することが可能な伝送媒体であってもよい。
【００７７】
【発明の効果】
以上説明したように、請求項１に記載の発明は、コンタクトレンズの購入、販売にかかる情報をネットワークを介して管理するコンタクトレンズ販売管理装置であって、コンタクトレンズ購入のための検眼をおこなったユーザに関する個人情報および生体情報と、コンタクトレンズに関する処方箋情報および商品情報を受信する受信手段と、前記受信した個人情報と生体情報を格納するユーザデータベースと、前記受信した処方箋情報を格納する処方箋データベースと、前記受信した商品情報を格納する商品データベースと、前記ユーザがコンタクトレンズを購入する際に受信した購入要求および該ユーザの生体情報のうち、該生体情報を前記ユーザデータベースに格納された生体情報を用いて本人認証をおこなう生体認証手段と、前記生体認証手段により本人認証された前記ユーザの処方箋情報を前記処方箋データベースから取得し、該処方箋情報が有効期限内であるか否かを判断する期限判断手段と、前記期限判断手段により有効と判定された場合に、前記ユーザの購入要求に応じた商品情報を用いてコンタクトレンズメーカに対する商品の発注をおこなう発注手段と、を備えたので、コンタクトレンズを購入するユーザの個人情報、処方箋情報を予めサーバに登録、参照することにより、ユーザはネットワークに接続できる端末装置があれば販売店に出向かずに、処方箋の有効期限内であれば何度でもコンタクトレンズの発注をおこなうことができる。また、ユーザの生体情報を予め登録し、ユーザに生体情報を利用した認証をさせることで、なりすましなどの不正行為を防ぎ、高い精度のセキュリティーを保つことができるようになる。また、ユーザがコンタクトレンズを購入する際、販売店を通さずに直接メーカに発注することができるため、所望の商品を迅速に受け取ることができるようになる。一方、販売店は、多くのメーカの多種類の商品を在庫しておく必要がなくなるため、仕入れに費やす費用や在庫スペースを削減することができる。また、メーカにとっては商品出荷に費やす物流費用の削減を見込むことができるという効果を奏する。
【００７８】
また、請求項２に記載の発明は、請求項１に記載の発明において、前記生体認証手段は、前記生体情報としてユーザの指紋情報を用いる特徴を備えたので、
ユーザがサーバにアクセスし、コンタクトレンズを購入する際におこなう認証を、指紋にておこなうことによってセキュリティーを保つことが可能となるという効果を奏する。
【００７９】
また、請求項３に記載の発明は、コンタクトレンズの購入、販売にかかる情報をネットワークを介して管理するコンタクトレンズ販売管理システムであって、コンタクトレンズ購入のための検眼をおこなったユーザに関する個人情報および生体情報と、コンタクトレンズに関する処方箋情報および商品情報を送信する販売店または眼科医の端末装置と、ユーザがコンタクトレンズを購入する際に送信する購入要求および該ユーザの生体情報を送信するユーザの端末装置と、コンタクトレンズ販売にかかる受注した情報を受信するメーカの端末装置と、前記販売店の端末装置と、前記眼科医の端末装置と、前記ユーザの端末装置と、前記メーカの端末装置にネットワークを介して接続し、前記個人情報と、前記生体情報と、前記処方箋情報と、前記商品情報を管理するサーバを備え、前記サーバは、コンタクトレンズ購入のための検眼をおこなったユーザに関する個人情報および生体情報と、コンタクトレンズに関する処方箋情報および商品情報を受信する受信手段と、前記受信した個人情報と生体情報を格納するユーザデータベースと、前記受信した処方箋情報を格納する処方箋データベースと、前記受信した商品情報を格納する商品データベースと、前記ユーザがコンタクトレンズを購入する際に受信した購入要求および該ユーザの生体情報のうち、該生体情報を前記ユーザデータベースに格納された生体情報を用いて本人認証をおこなう生体認証手段と、前記生体認証手段により本人認証された前記ユーザの処方箋情報を前記処方箋データベースから取得し、該処方箋情報が有効期限内であるか否かを判断する期限判断手段と、前記期限判断手段により有効と判定された場合に、前記ユーザの購入要求に応じた商品情報を用いてコンタクトレンズメーカに対する商品の発注をおこなう発注手段と、を備えたので、コンタクトレンズを購入するユーザの個人情報、処方箋情報を予めサーバに登録、参照することにより、ユーザはネットワークに接続できる端末装置があれば販売店に出向かずに、処方箋の有効期限内であれば何度でもコンタクトレンズの発注をおこなうことができる。また、ユーザの生体情報を予め登録し、ユーザに生体情報を利用した認証をさせることで、なりすましなどの不正行為を防ぎ、高い精度のセキュリティーを保つことができるようになる。また、ユーザがコンタクトレンズを購入する際、販売店を通さずに直接メーカに発注することができるため、所望の商品を迅速に受け取ることができるようになる。一方、販売店は、多くのメーカの多種類の商品を在庫しておく必要がなくなるため、仕入れに費やす費用や在庫スペースを削減することができる。また、メーカにとっては商品出荷に費やす物流費用の削減を見込むことができるようになる。さらに、サーバ内に、コンタクトレンズの購入、販売に関わるユーザ、販売店、メーカの情報が一元的に管理できるという効果を奏する。
【００８０】
また、請求項４に記載の発明は、請求項３に記載の発明において、前記ユーザの端末装置は、ユーザの指紋情報を読み取り、前記サーバに前記生体情報として送信する特徴を備えたので、ユーザがサーバにアクセスし、コンタクトレンズを購入する際におこなう認証を、指紋にておこなうことによってセキュリティーを保つことが可能となるという効果を奏する。
【００８１】
また、請求項５に記載の発明は、コンタクトレンズの購入、販売にかかる情報をネットワークを介して管理するコンタクトレンズ販売管理方法であって、コンタクトレンズ購入のための検眼をおこなったユーザに関する個人情報および生体情報と、コンタクトレンズに関する処方箋情報および商品情報を受信する受信工程と、前記受信工程により受信した個人情報と生体情報と、処方箋情報と、商品情報とをデータベースに格納する格納工程と、前記ユーザがコンタクトレンズを購入する際に受信した購入要求および該ユーザの生体情報のうち、該生体情報を前記格納工程で前記データベースに格納した生体情報を用いて本人認証をおこなう生体認証工程と、前記生体認証工程により本人認証された前記ユーザの処方箋情報を前記データベースから取得し、該処方箋情報が有効期限内であるか否かを判断する期限判断工程と、前記期限判断工程により有効と判定された場合に、前記ユーザの購入要求に応じた商品情報をデータベースから取得し、コンタクトレンズメーカに対する商品の発注をおこなう発注工程と、を含む構成としたので、コンタクトレンズを購入するユーザの個人情報、処方箋情報を予めサーバに登録、参照することにより、ユーザはネットワークに接続できる端末装置があれば販売店に出向かずに、処方箋の有効期限内であれば何度でもコンタクトレンズの発注をおこなうことができる。また、ユーザの生体情報を予め登録し、ユーザに生体情報を利用した認証をさせることで、なりすましなどの不正行為を防ぎ、高い精度のセキュリティーを保つことができるようになる。また、ユーザがコンタクトレンズを購入する際、販売店を通さずに直接メーカに発注することができるため、所望の商品を迅速に受け取ることができるようになる。一方、販売店は、多くのメーカの多種類の商品を在庫しておく必要がなくなるため、仕入れに費やす費用や在庫スペースを削減することができる。また、メーカにとっては商品出荷に費やす物流費用の削減を見込むことができるという効果を奏する。
【００８２】
また、請求項６に記載の発明は、前記請求項５に記載された方法をコンピュータに実行させる構成としたので、コンピュータを用いたコンタクトレンズの購入、販売にかかる発注から受注までの処理を実行できるようになり、購入、販売の効率化を図ることができるという効果を奏する。
【図面の簡単な説明】
【図１】この発明の本実施の形態１にかかるコンタクトレンズ販売管理システムの全体構成を示すシステム構成図である。
【図２】この発明の本実施の形態１にかかるサーバ１０１と、各種端末装置のハードウェア構成を示すブロック図である。
【図３】この発明の本実施の形態１にかかるコンタクトレンズ販売管理システムの機能的構成を示すブロック図である。
【図４】この発明の本実施の形態１にかかるーザ端末装置１０４の一例を示す図である。
【図５】この発明の本実施の形態１にかかる処方箋データ入力画面５００の表示内容の一例を示す説明図である。
【図６】この発明の本実施の形態１にかかる認証成功画面６００の表示内容の一例を示す説明図である。
【図７】この発明の本実施の形態１にかかる警告画面７００の表示内容の一例を示す説明図である。
【図８】販売店にてユーザの登録がおこなわれる場合の処理手順を示すフローチャートである。
【図９】サーバ１０１による個人認証の処理手順を示すフローチャートである。
【図１０】ユーザによりコンタクトレンズの注文がおこなわれる場合の処理手順を示すフローチャートである。
【符号の説明】
１００    ネットワーク
１０１    サーバ
１０２    眼科医端末装置
１０３    販売店端末装置
１０４    ユーザ端末装置
１０５    メーカ端末装置
３０１    生体情報読み取りユニット
３０２    送受信部
３０３    ユーザＤＢ制御部
３０４    ユーザＤＢ
３０５    処方箋ＤＢ制御部
３０６    処方箋ＤＢ
３０７    商品ＤＢ制御部
３０８    商品ＤＢ
３０９    販売管理ＤＢ制御部
３１０    販売管理ＤＢ
３１１    送受信部
３１２    ユーザＤＢ認証部
３１３    処方箋ＤＢ判断部
３１４    送受信部
３１５    生体認証ユニット
４００    画面部
４０１    キー操作部
４０１ａ  テンキー
４０１ｂ  第１制御キー
４０１ｃ  ナビゲーションキー
４０１ｄ  第２制御キー
４０２    生体認証部
【図１】
2004287626.tif 000003
【図２】
2004287626.tif 000004
【図３】
2004287626.tif 000005
【図４】
2004287626.tif 000006
【図５】
2004287626.tif 000007
【図６】
2004287626.tif 000008
【図７】
2004287626.tif 000009
【図８】
2004287626.tif 000010
【図９】
2004287626.tif 000011
【図１０】
2004287626.tif 000012